(57)【要約】【課題】床に据え付けた椅子を大きく移動させる。【解決手段】床２に固定されたガイド部３と、ガイド部３に案内されて移動するスライド部４と、スライド部４に設けられた椅子固定部５を備えている。また、スライド部４を移動の基準位置６に復帰させる復帰手段７を備えている。【選択図】        図１
2004243028.tif 000002
【特許請求の範囲】
【請求項１】
床に固定されたガイド部と、前記ガイド部に案内されて移動するスライド部と、前記スライド部に設けられた椅子固定部を備えることを特徴とする椅子用据付装置。
【請求項２】
前記スライド部を移動の基準位置に復帰させる復帰手段を備えることを特徴とする請求項１記載の椅子用据付装置。
【請求項３】
前記復帰手段は、前記床に固定された軸部材と、前記軸部材と前記スライド部を連結し且つ前記スライド部の移動に伴い前記軸部材を中心に揺動するステーと、前記軸部材と同軸上に配置されて前記ステーを付勢する捩りばねを備え、前記捩りばねが前記ステーを付勢する方向は、前記スライド部を前記基準位置に復帰させる方向であることを特徴とする請求項１又は２記載の椅子用据付装置。
【請求項４】
前記ガイド部及びスライド部を収容する凹部を前記床に設けると共に、前記凹部を蓋部材によって塞ぎ、前記蓋部材には前記椅子固定部又は据え付ける椅子を貫通させる長孔を設け、前記長孔は前記スライド部の移動に伴い前記椅子固定部が移動する範囲に形成されていることを特徴とする請求項１から３のいずれかに記載の椅子用据付装置。
【請求項５】
前記ガイド部はガイドレールであり、前記スライド部は、前記ガイドレールの一側半部を転動する第１のローラと他側半部を転動する第２のローラと、前記第１のローラと第２のローラが取り付けられた載せ台を有し、前記第１のローラと第２のローラのうち少なくとも一方のローラを上下方向に傾斜して配置すると共に、前記載せ台に前記椅子固定部が設けられていることを特徴とする請求項１から４のいずれかに記載の椅子用据付装置。
【請求項６】
前記ガイド部は前記床に固定されたベース上に固定されていることを特徴とする請求項１から５のいずれかに記載の椅子用据付装置。
【請求項７】
請求項１から６のいずれかに記載の椅子用据付装置を備えることを特徴とする据付椅子。
【請求項８】
請求項６記載の椅子用据付装置を備え、前記ベースは床の一部を構成する床材であることを特徴とする床材ユニット。
【発明の詳細な説明】
【０００１】
【発明の属する技術分野】
本発明は、椅子用据付装置及びそれを備える据付椅子並びに床材ユニットに関する。
【０００２】
【従来の技術】
議場、劇場、講義室、講堂等に多数の椅子を整然と並べて据え付けることがある。床に据え付けて使用する椅子として、従来、特開２００２−２８０４３号公報に開示された揺動収納式椅子がある。この揺動収納式椅子１００では、図１９に示すように、床１０１に固定した基部１０２に対して前後の脚部１０３，１０４を揺動可能に取り付けることで着座部１０５を前後に移動させるようにしている。椅子１００の後方は人１０６が通る通路となっており、椅子１００を前に倒すことでその通路を広げて人１０６が通りやすくしている。
【０００３】
【特許文献１】
特開２００２−２８０４３号公報
【発明が解決しようとする課題】
しかしながら、上述の揺動収納式椅子１００は脚部１０３，１０４を前傾させることで後方の通路を広げるものであり、脚部１０３，１０４を大きく傾けても着座部１０５をそれほど大きく前進させることはできず、後方の通路をあまり広げることができなかった。
【０００４】
本発明は、床に据え付けた椅子を大きく移動させることが可能な椅子用据付装置及びそれを備える据付椅子並びに床材ユニットを提供することを目的とする。
【０００５】
【課題を解決するための手段】
かかる目的を達成するために請求項１記載の椅子用据付装置は、床に固定されたガイド部と、ガイド部に案内されて移動するスライド部と、スライド部に設けられた椅子固定部を備えるものである。
【０００６】
したがって、椅子固定部に椅子を固定することで、椅子を床に据え付けることができる。そして、ガイド部に対してスライド部を移動させると、椅子固定部に固定された椅子が床に対して移動する。ガイド部を床に固定するのでガイド部を長くすることが容易であり、スライド部の移動距離として長い距離を確保するのが容易である。
【０００７】
また、請求項２記載の椅子用据付装置は、スライド部を移動の基準位置に復帰させる復帰手段を備えるものである。
【０００８】
したがって、着座者が椅子から離れると、復帰手段がスライド部をその基準位置に自動的に復帰させ、椅子を元の位置に自動的に戻すことができる。
【０００９】
この場合、請求項３記載の椅子用据付装置のように、復帰手段が、床に固定された軸部材と、軸部材とスライド部を連結し且つスライド部の移動に伴い軸部材を中心に揺動するステーと、軸部材と同軸上に配置されてステーを付勢する捩りばねを備え、捩りばねがステーを付勢する方向は、スライド部を基準位置に復帰させる方向であることが好ましい。
【００１０】
椅子の使用によってスライド部が動かされると、ステーが揺動して捩りばねが捩られる。そして、着座者が椅子から離れると、捩りばねの力によってステーが元の位置に戻され、スライド部を基準位置に復帰させる。即ち、椅子が元の位置に自動的に戻る。捩りばねの付勢力は捩り角度の大小にあまり影響されずほぼ一定であるので、ステーの揺動角度の大小にあまり影響されずほぼ一定の力でステーを付勢することができる。即ち、スライド部の移動距離の大小にあまり影響されずほぼ一定の力でスライド部を基準位置に復帰させることができる。
【００１１】
また、請求項４記載の椅子用据付装置は、ガイド部及びスライド部を収容する凹部を床に設けると共に、凹部を蓋部材によって塞ぎ、蓋部材には椅子固定部又は据え付ける椅子を貫通させる長孔を設け、長孔はスライド部の移動に伴い椅子固定部が移動する範囲に形成されたものである。
【００１２】
したがって、ガイド部及びスライド部が床の中に配置され、床から突出したり露出するのを防止することができる。凹部は蓋部材によって塞がれてしまうが、蓋部材には長孔が設けられており、凹部内の椅子固定部に椅子を取り付けることができ、また、椅子をスライドさせることもできる。
【００１３】
また、請求項５記載の椅子用据付装置は、ガイド部がガイドレールであり、スライド部が、ガイドレールの一側半部を転動する第１のローラと他側半部を転動する第２のローラと、第１のローラと第２のローラが取り付けられた載せ台を有しており、第１のローラと第２のローラのうち少なくとも一方のローラを上下方向に傾斜して配置すると共に、載せ台に椅子固定部を設けたものである。
【００１４】
したがって、スライド部をガイド部に沿って動かすことで、載せ台がガイドレール上をスライドし、椅子固定部に取り付けた椅子を簡単に移動させることができる。スライド部の第１のローラと第２のローラはガイドレール上を転動し、椅子をスムーズに移動させる。椅子やスライド部の重量は各ローラに垂直荷重として作用するが、この垂直荷重は第１のローラと第２のローラ、即ち、全てのローラによって分散して支えられる。また、載せ台を傾斜させる方向の力（水平荷重）は、上下方向に傾斜しているローラによって支えられる。
【００１５】
また、請求項６記載の椅子用据付装置は、ガイド部が床に固定されたベース上に固定されているものである。
【００１６】
したがって、ベース上にガイド部を固定し、その上にスライド部を取り付けることで椅子用据付装置をユニット化することができる。そして、ベースを床に固定することで、椅子用据付装置を設置することができる。
【００１７】
さらに、請求項７記載の据付椅子は、請求項１から６のいずれかに記載の椅子用据付装置を備えている。したがって、床に据え付けた椅子がスライド可能になる。
【００１８】
また、請求項８記載の床材ユニットは、請求項６記載の椅子用据付装置を備えており、ベースは床の一部を構成する床材である。したがって、椅子用据付装置をそのまま床材として利用することができる。
【００１９】
【発明の実施の形態】
以下、本発明の構成を図面に示す最良の形態に基づいて詳細に説明する。
【００２０】
図１〜図５に本発明を適用した椅子用据付装置の第１の実施形態を示す。椅子用据付装置１は、床２に固定されたガイド部３と、ガイド部３に案内されて移動するスライド部４と、スライド部４に設けられた椅子固定部５を備えている。また、椅子用据付装置１は、スライド部４を移動の基準位置６に復帰させる復帰手段７を備えている。
【００２１】
ガイド部３は床２に固定されたベース８上に固定されている。ガイド部３は、例えば左右に所定間隔をあけて配置された一対のガイドユニット９より構成され、各ガイドユニット９は、ベース８に固定されたブラケット１０と、ブラケット１０に転動自在に取り付けられた２つのローラ１１より構成されている。２つのローラ１１は前後に所定の間隔をあけて一列に並んで配置されている。なお、ベース８の四隅には孔１２が設けられており、これらの孔１２に図示しないボルトを通して床２に固定する。
【００２２】
スライド部４は、例えば椅子１７の荷重を支える台車であり、左右両側に例えば３個ずつ車輪１３を備えており、中央には載せ台１４が形成されている。載せ台１４は前後方向に長く形成されており、その前後を横材１５，１６によって支持されている。載せ台１４と横材１５，１６は断面形状が矩形状を成す筒体であり、椅子１７と図示しない着座者の荷重を支持するのに十分な剛性を有している。また、載せ台１４はガイド部３のガイドユニット９に挟まれており、側板１４ａを転動するローラ１１，１１に案内されて前後方向に移動する。
【００２３】
本実施形態ではベース８上にストッパ１８，１９が取り付けられており、スライド部４の移動できる距離を制限している。即ち、左右のガイドユニット９のブラケット１０には前側ストッパ１８と後側ストッパ１９が取り付けられており、図２及び図３（ｂ）に示すように前側ストッパ１８に前側横材１５が当たるまでスライド部４は後方に移動することができ、図１及び図３（ａ）に示すように後側ストッパ１９に後側横材１６が当たるまでスライド部４が前方に移動することができる。後側ストッパ１９に後側横材１６が当たる位置、即ちスライド部４を最も前進させた位置が基準位置６である。
【００２４】
椅子固定部５は、例えば円筒体であり、内径は上から下に向けて徐々に小さくなっている。椅子固定部５はスライド部４の載せ台１４の中央に取り付けられている。椅子固定部５には椅子１７の支柱２０が差し込まれる。なお、本実施形態の椅子１７は、支柱２０と座部２１と背もたれ部２２より構成されている。
【００２５】
スライド部４と椅子固定部５は、カバー２３によって覆われている。
【００２６】
復帰手段７は、例えば、床２に固定された軸部材２４と、軸部材２４とスライド部４を連結し且つスライド部４の移動に伴い軸部材２４を中心に揺動するステー２５と、軸部材２４と同軸上に配置されてステー２５を付勢する捩りばね２６を備えている。本実施形態では、復帰手段７を左右にそれぞれ設けている。
【００２７】
軸部材２４は、ガイド部３と一緒にベース８に固定されている。即ち、軸部材２４はベース８を介して床２に固定されている。
【００２８】
ステー２５の一端は軸部材２４に揺動自在に取り付けられている。また、ステー２５の他端には大きな長孔２７が形成されており、長孔２７に椅子固定部５を通すことで、ステー２５と椅子固定部５が連結される。即ち、ステー２５は椅子固定部５を介してスライド部４に接続される。長孔２７に椅子固定部５を通すことでステー２５と椅子固定部５を連結させているので、ステー２５の揺動に伴い椅子固定部５を長孔２７内で移動させることができる。したがって、スライド部４の前後移動に伴ってステー２５を揺動させることができる。
【００２９】
捩りばね２６は軸部材２４の周りに配置され、その一端はベース８に引っ掛けられ、他端はステー２５に引っ掛けられている。捩りばね２６は予め若干捩られた状態、即ち予圧をかけた状態でステー２５に引っ掛けられており、ステー２５を付勢している。捩りばね２６がステー２５を付勢する方向は、スライド部４を基準位置６に復帰させる方向となっている。本実施形態では、スライド部４を最も前進させた位置が基準位置６であり、捩りばね２６はステー２５を前方に揺動させるように付勢している。
【００３０】
椅子用据付装置１を使用して椅子１７を床２に据え付ける場合には、床２に椅子用据付装置１を設置した後、椅子固定部５に椅子１７の支柱２０を差し込んで固定すれば良い。椅子１７や着座者の荷重は６つの車輪１３によって分散支持される。したがって、椅子１７を床２に据え付ける構造として十分な剛性を確保することができる。また、車輪１３を使用することで、移動時に発生する騒音を低減することができる。
【００３１】
そして、ガイド部３に対してスライド部４を前後移動させることで椅子１７を前後に移動させることができる。このとき、スライド部４の載せ台１４がガイド部３のローラ１１によって案内されるので、椅子１７は真っ直ぐに前後移動する。
【００３２】
スライド部４を基準位置６から後方に移動させると、復帰手段７のステー２５が捩りばね２６をさらに捩る。このため、着座者が椅子１７から離れると、捩りばね２６がステー２５を前方に揺動させて元の位置に戻し、スライド部４を基準位置６に復帰させる。即ち、椅子１７を自動的に最も前進させた位置に戻すことができ、椅子１７後方の通路を広げることができる。
【００３３】
捩りばね２６の付勢力は捩りの角度の大小にあまり影響されずほぼ一定であり、ステー２５の揺動角度の大小にあまり影響されずほぼ一定の力でステー２５を付勢することができる。このため、スライド部４がどの位置にあってもほぼ一定の力でスライド部４を基準位置６に復帰させることができる。
【００３４】
椅子用据付装置１は床２に設置されるものであり、スライド部４を長くすることが容易である。このため、スライド部４の移動距離を長くするのが容易である。例えば椅子１７の座部２１にスライド機構を設けた場合には、座部２１の寸法に制約されてスライド機構を長くするのは困難であるが、椅子用据付装置１にガイド部３とスライド部４を備えることで、いわば床２にスライド機構を持たせることができるので、スライド部４の移動距離を長くするのが容易である。例えば、椅子１７の座部２１にスライド機構を設けた場合には、座部２１の移動距離を１０ｃｍ程度確保するのがやっとであるが、本発明の椅子用据付装置１では、椅子１７の移動距離を２０ｃｍ確保するのは容易である。
【００３５】
椅子用据付装置１を使用して椅子１７を床２に据え付けるためには、椅子１７の支柱２０を椅子固定部５に固定すれば足りるので、予め椅子用据付装置１を設置しておくことで椅子１７を簡単に据え付けることができる。また、椅子１７の交換が容易である。
【００３６】
また、椅子固定部５に支柱２０を固定すれば椅子１７を据え付けることができるので、椅子１７として様々なデザインや機能のものを選択して使用することができる。また、例えば事務用椅子など、据付椅子として最初から設計された椅子以外の椅子を据え付けることができ、いろいろな椅子を据付椅子として利用することができる。
【００３７】
また、例えば議場などでは多数の椅子１７と図示しない机を前後左右に並べて据え付けており、前の席の椅子１７とその後の席の机の間が通路となる。椅子１７を使用していない状態では、復帰手段７の捩りばね２６の付勢力によってステー２５が前方に戻されておりスライド部４を基準位置６に止めることができる。即ち、使わないときには椅子１７を最も前の位置に引っ込めておくことができ、椅子１７の後の通路を広くして人が通りやすくすることができる。
【００３８】
また、使っていない椅子１７は最も前の位置に戻されているので、左右の椅子１７の列を揃えておくことができる。
【００３９】
次に、図６〜図９に、本発明を適用した椅子用据付装置１の第２の実施形態を示す。なお、上述の椅子用据付装置１の部材と同一の部材には同一の符号をしてそれらの詳細な説明は省略する。
【００４０】
ガイド部３は、左右一対のガイドユニット９より構成され、各ガイドユニット９は、ベース８に固定されたブラケット１０と、ブラケット１０に取り付けられたブシュ２８より構成されている。ブシュ２８は、例えば樹脂によって形成されている。ブシュ２８の前後両端面にはストッパ１８，１９が設けられている。
【００４１】
また、スライド部４の前後の横材１５，１６間には２本のシャフト２９が設けられており、シャフト２９はガイド部３のブシュ２８とストッパ１８，１９を貫通している。したがって、スライド部４はシャフト２９をブシュ２８に摺動させながら案内されて前後方向に移動する。
【００４２】
復帰手段７は、例えばケース３９に収められた渦巻きばね３０であり、ガイド部３のブラケット１０に取り付けられている。渦巻きばね３０の先端はケース３９から引き出されて後側横材１６に取り付けられている。渦巻きばね３０は、その先端をケース３９内に引き戻す方向に付勢力を発揮する。
【００４３】
この椅子用据付装置１では、スライド部４を後方に移動させると渦巻きばね３０がケース３９から引き出されるので、スライド部４を前方に戻す方向に付勢力が発生する。したがって、スライド部４を基準位置６に自動的に復帰させることができる。また、スライド部４を移動させていない状態でも、即ちスライド部４が基準位置６に在る状態でも、渦巻きばね３０の先端はケース３９から引き出されて後側横材１６に取り付けられているので、スライド部４を基準位置６に止めておくことができる。
【００４４】
渦巻きばね３０の付勢力はケース３９からの引き出し量にはあまり影響されずほぼ一定であり、スライド部４がどの位置にあってもほぼ一定の力でスライド部４を基準位置６に復帰させることができる。
【００４５】
図６〜図９の椅子用据付装置１でも、図１〜図５の椅子用据付装置１と同様に、スライド部４の移動距離を長くするのが容易であり、椅子１７を簡単に床２に据え付けることができ、椅子１７の交換が容易であり、椅子１７として様々なデザインや機能のものを使用することができ、また、据付椅子以外の椅子を据付椅子として利用することができる。また、議場などの据付椅子１７の設置に使用した場合には、椅子１７を使わないときには後方の通路を広くしておくことができ、また、左右の椅子１７の列を揃えておくことができる。
【００４６】
次に、図１０に本発明を適用した椅子用据付装置１の第３の実施形態を示す。なお、上述の椅子用据付装置１の部材と同一の部材には同一の符号をしてそれらの詳細な説明は省略する。
【００４７】
この椅子用据付装置１のガイド部３はガイドレール（以下、ガイドレール３という）であり、スライド部４は、ガイドレール３の一側半部を転動する第１のローラ３１と他側半部を転動する第２のローラ３２と、第１のローラ３１と第２のローラ３２が取り付けられた載せ台１４を有している。第１のローラ３１と第２のローラ３２のうち少なくとも一方のローラを上下方向に傾斜して配置すると共に、載せ台１４に椅子固定部５を設けている。なお、本実施形態では、スライド部４の車輪１３を省略することができる。ただし、図１や図６の椅子用据付装置１と同様に、車輪１３を設けても良い。
【００４８】
第１のローラ３１と第２のローラ３２が取り付けられる載せ台１４の側板１４ａは下端が互いに近づく方向に傾斜しており、第１のローラ３１と第２のローラ３２の上側が左右に離れる方向に傾斜させて配置している。これにより、第１及び第２のローラ３１，３２は前後方向からみてＶ字状に配置されている。第１及び第２のローラ３１，３２は、例えば角度θ＝３５°ずつ傾斜して配置されている。なお、載せ台１４には複数の第１及び第２のローラ３１，３２が取り付けられている。
【００４９】
ガイドレール３には、第１のローラ３１が転動する一側ガイド溝３３と第２のローラ３２が転動する他側ガイド溝３４が形成されている。第１及び第２のローラ３１，３２は互いの上側が離れる方向に傾斜しているので、一側ガイド溝３３と他側ガイド溝３４は斜め下方に向けて開口する。
【００５０】
第１及び第２のローラ３１，３２の転動面３１ａ，３２ａと一側ガイド溝３３及び他側ガイド溝３４のガイド面３３ａ，３４ａには、第１及び第２のローラ３１，３２の外れを防止する凹凸３５が形成されている。本実施形態では、凹凸３５を、第１のローラ３１の転動面３１ａと第２のローラ３２の転動面３２ａに設けた凸部３５ａと、一側ガイド溝３３のガイド面３３ａと他側ガイド溝３４のガイド面３４ａに設けた凹部３５ｂより構成している。凸部３５ａは転動面３１ａ，３２ａをその幅方向中央位置で最も大径になる曲面にしており、凹部３５ｂはガイド面３３ａ，３４ａを転動面３１ａ，３２ａの曲面に一致する曲面にしている。即ち、各ローラ３１，３２の転動面３１ａ，３２ａには所謂クラウンがつけられ、各ガイド溝３３，３４のガイド面３３ａ，３４ａはこのクラウンに一致する形状となっている。
【００５１】
かかる構成の椅子用据付装置１では、スライド部４を前後方向に動かすと、各ローラ３１，３２がガイドレール３の各ガイド溝３３，３４内で回転し、載せ台１４をスムーズに動かすことができる。各ローラ３１，３２の転動面３１ａ，３２ａにはクラウンがついており、また、各ガイド溝３３，３４のガイド面３３ａ，３４ａはクラウンに一致する形状になっているので、転動するローラ３１，３２の中心Ｃ１がガイド溝３３，３４の中心Ｃ２からずれると中心Ｃ１を中心Ｃ２に一致させようとする力が発生する。つまり、左右のローラ３１，３２の位置ずれを自動的に修正するので、左右のローラ３１，３２を常に正しい位置（中心Ｃ１とＣ２が一致する位置）で回転させることができ、各ローラ３１，３２をガイド溝３３，３４から外れ難くすると共に、各ローラ３１，３２の回転を円滑にしてスライド部４のスライドをスムーズなものにすることができる。
【００５２】
この椅子用据付装置１では、第１及び第２のローラ３１，３２が傾斜しているので、垂直荷重と水平荷重の両方を全てのローラ３１，３２で分散して受けることができる。即ち、垂直荷重として作用する椅子１７やスライド部４の重量や浮き上がり力等を全てのローラ３１，３２で分散して受けることができるので、一つ一つのローラ３１，３２に作用する荷重を軽減することができ、耐荷重性を向上させることができる。また同様に、椅子１７をスライドさせる際等に発生する椅子１７の左右方向の力（水平荷重）も全てのローラ３１，３２で分散して受けることができるので、一つ一つのローラ３１，３２に作用する荷重を軽減することができ、耐荷重性を向上させることができると共に、わざわざ水平荷重専用のローラを設ける必要がなくなる。そして、一つ一つのローラ３１，３２に作用する荷重を軽減することができるので、ローラ３１，３２の寿命が延び耐久性が向上すると共に、より安価で耐久荷重の小さなローラ３１，３２を使用することが可能になる。
【００５３】
また、一つ一つのローラ３１，３２に作用する荷重を軽減することができるので、各ローラ３１，３２の転がり抵抗が減少し、軽い力でスライド部４を移動させることができる。
【００５４】
さらに、垂直荷重を利用してローラ３１，３２をガイド溝３３，３４のガイド面３３ａ，３４ａに押し付けることができる。即ち、たとえ設置時にローラ３１，３２とガイドレール３の間に隙間が発生したとしても、垂直荷重を受けることで第１及び第２のローラ３１，３２がガイドレール３に押し付けられ、発生した隙間を消滅させることができる。このため、スライド部４をスライドさせる際に発生するこじれや振動や騒音等の発生を防止することができると共に、装置の設置作業を簡単なものにすることができる。特に、図１０のように第１及び第２のローラ３１，３２をＶ字状に配置することで、垂直荷重が第１及び第２のローラ３１，３２の間隔を狭める方向に作用し、各ローラ３１，３２をガイドレール３に押し付ける。このため、移動時にスライド部４がこじれたり振動し難くなり、また、騒音の発生を防止することができる。
【００５５】
さらに、第１及び第２のローラ３１，３２をＶ字状に配置することで左右のガイド溝３３，３４もＶ字状に配置されることになり、各ガイド溝３３，３４の開口を斜め下方に向けることができる。このため、左右のガイド溝３３，３４にごみ等が入り難くなる。
【００５６】
なお、上述の説明では、第１及び第２のローラ３１，３２を角度θ＝３５°ずつ傾斜させていたが、傾斜角θは３５°に限るものではないことは勿論である。例えば、図９に示すように、第１及び第２のローラ３１，３２をθ＝４５°ずつ傾斜させるようにしても良い。なお、より大きな垂直荷重を受けることができるようにするという観点からは、第１及び第２のローラ３１，３２の傾斜角度θを小さくすることが好ましく、また、第１及び第２のローラ３１，３２をガイド溝３３，３４から外れ難くするという観点からも、第１及び第２のローラ３１，３２の傾斜角度θを小さくすることが好ましい。一方で、より大きな水平荷重を受けるという観点からは、第１及び第２のローラ３１，３２の傾斜角度θを大きく（９０°に近づける）ことが好ましい。これらの観点から、第１及び第２のローラ３１，３２の傾斜角度θは４５°付近又は３５°付近が好ましく、なかでも３５°付近がより好ましい。
【００５７】
また、上述の説明では、第１及び第２のローラ３１，３２を椅子１７の前後方向からみてＶ字状に配置していたが、図１２に示すように、第１及び第２のローラ３１，３２を互いの下側が離れる方向に傾斜させて配置しても良い。即ち、第１及び第２のローラ３１，３２を椅子１７の前後方向からみて上下が逆のＶ字状に配置しても良い。この場合にも第１及び第２のローラ３１，３２で垂直荷重と水平荷重の両方を分散して受けることができることは勿論のこと、垂直荷重が第１及び第２のローラ３１，３２をガイド溝３３，３４に押し込む方向に作用するので、ガイドレール３から載せ台１４を外れ難くすることができる。
【００５８】
また、第１のローラ３１と第２のローラ３２のうち、いずれか一方のローラをその下側が他方のローラから離れる方向に傾斜させて配置し、いずれか他方のローラを垂直に配置しても良い。図１３の例では、第２のローラ３２をその下側が第１のローラ３１から離れる方向に傾斜させて配置し、第１のローラ３１を垂直に配置している。各ローラ３１，３２の転動面３１ａ，３２ａと各ガイド溝３３，３４のガイド面３３ａ，３４ａには凹凸３５が形成されているので、垂直な第１のローラ３１によっても水平荷重を受けることができ、傾斜している第２のローラ３２によっても垂直荷重や浮き上がり力を受けることができる。即ち、この場合にも、垂直荷重と水平荷重を第１及び第２のローラ３１，３２で分散して受けることができる。
【００５９】
さらに、上述の説明では、第１及び第２のローラ３１，３２の転動面３１ａ，３２ａに凸部３５ａを設けて当該転動面３１ａ，３２ａを曲面にし、ガイド溝３３，３４のガイド面３３ａ，３４ａに凹部３５ｂを設けて当該ガイド面３３ａ，３４ａを曲面にしていたが、必ずしも転動面３１ａ，３２ａ、ガイド面３３ａ，３４ａを曲面にする必要はなく、例えば図１４に示すように、転動面３１ａ，３２ａを山の斜面状にし、ガイド面３３ａ，３４ａを谷の斜面状にしても良い。
【００６０】
また、図１５に示すように、第１及び第２のローラ３１，３２の転動面３１ａ，３２ａの一部に凸部３５ａを設け、ガイド溝３３，３４のガイド面３３ａ，３４ａの一部に凹部３５ｂを設けても良い。かかる構成でも、ガイド溝３３，３４から第１及び第２のローラ３１，３２が外れてしまうのを防止することができる。なお、第１及び第２のローラ３１，３２の転動面３１ａ，３２ａの全周にわたって連続した凸部３５ａを設けても良いし、転動面３１ａ，３２ａの周方向に一定の間隔をあけて部分的な凸部３５ａを形成しても良い。
【００６１】
また、第１及び第２のローラ３１，３２の転動面３１ａ，３２ａに凹部３５ｂを形成し、ガイドレール３のガイド溝３３，３４のガイド面３３ａ，３４ａに凸部３５ａを形成しても良い。
【００６２】
さらに、上述の説明では、第１及び第２のローラ３１，３２の転動面３１ａ，３２ａとガイド溝３３，３４のガイド面３３ａ，３４ａに凹凸３５を形成していたが、凹凸３５を形成せずに、第１及び第２のローラ３１，３２の転動面３１ａ，３２ａとガイド溝３３，３４のガイド面３３ａ，３４ａを平坦面にしても良い。
【００６３】
図１０〜図１５の椅子用据付装置１でも、図１〜図５の椅子用据付装置１と同様に、スライド部４の移動距離を長くするのが容易であり、椅子１７を簡単に床２に据え付けることができ、椅子１７の交換が容易であり、椅子１７として様々なデザインや機能のものを使用することができ、また、据付椅子以外の椅子を据付椅子として利用することができる。また、議場などの据付椅子１７の設置に使用した場合には、椅子１７を使わないときには後方の通路を広くしておくことができ、また、左右の椅子１７の列を揃えておくことができる。
【００６４】
なお、上述の各形態は本発明の好適な形態の例ではあるがこれに限定されるものではなく本発明の要旨を逸脱しない範囲において種々変形実施可能である。
【００６５】
例えば、上述の説明では、椅子用据付装置１を床２上に設置するようにしていたが、床面よりも低い位置に設置しても良い。例えば、図１６に示すように、ガイド部３及びスライド部４を収容する凹部３６を床２に設けると共に、凹部３６を蓋部材３７によって塞いでも良い。この場合、蓋部材３７に椅子固定部５又は据え付ける椅子１７を貫通させる長孔３８を設け、この長孔３８はスライド部４の移動に伴い椅子固定部５が移動する範囲に形成する。このようにすることで、椅子用据付装置１を床２の中に配置することができ、床面から突出したり露出するのを防止することができる。凹部３６は蓋部材３７によって塞がれてしまうが、蓋部材３７に長孔３８を設けることで、凹部３６内の椅子固定部５に椅子１７を取り付けることが可能になり、また、椅子１７をスライドさせることもできるようになる。なお、図１６では椅子１７の支柱２０を長孔３８に貫通させることで椅子１７を椅子固定部５に取り付けるようにしているが、椅子固定部５を長孔３８に貫通させることで椅子１７を椅子固定部５に取り付けるようにしても良い。
【００６６】
また、上述の説明では、ガイド部３をベース８上に固定し、このベース８を床２に固定することでガイド部３を間接的に床２に固定するようにしていたが、ベース８を介さずガイド部３を直接床２に固定しても良い。同様に、復帰手段７の軸部材２４を、ベース８を介さずに直接床２に固定しても良い。
【００６７】
また、床２にカーペットなどを敷いている場合には、車輪１３が転がる部分に金属プレート等を敷くようにしても良い。金属プレート上に車輪１３を転動させることで、転がり抵抗を減少させることができる。
【００６８】
また、ベース８を板材に取り付け、この板材を床２に固定しても良い。例えば、図１，図２，図６，図７に仮装線で示す板材４５を設け、この板材４５にベース８及び軸部材２４（図１，図２の場合）を固定し、板材４５ごと椅子用据付装置１を床２に固定するようにしても良い。このようにすることで、床２に設置する前の椅子用据付装置１を一体化して取り扱うことができる。また、車輪１３を板材４５上に転がすこともでき、車輪１３が転がる部分にわざわざ金属プレート等を敷く必要がなくなる。
【００６９】
また、上述の説明では、スライド部４を前後方向に移動させるようにしていたが、椅子用据付装置１の向きを変えて設置することで、スライド部４を左右方向に移動させるようにしても良く、又はスライド部４を斜め方向に移動させるようにしても良い。
【００７０】
また、上述の復帰手段７はばねの付勢力を利用してスライド部４を基準位置６に復帰させるようにしていたが、例えばガイド部３とスライド部４を傾斜させておき、重力を利用してスライド部４を基準位置６に復帰させるようにしても良い。
【００７１】
また、上述の復帰手段７は捩りばね２６や渦巻きばね３０の付勢力を利用してスライド部４を基準位置６に復帰させるようにしていたが、捩りばね２６や渦巻きばね３０に代えて、例えばコイルスプリングを利用した引っ張りばねや押し付けばね、ガススプリング、その他のばね類を使用しても良いことは勿論である。また、ばね類の付勢力をリンク機構やワイヤー等の伝達手段を介してスライド部４に伝えるようにしても良い。
【００７２】
また、上述の説明では、スライド部４を最も前進させた位置を基準位置６にしていたが、基準位置６はこの位置に限るものではなく、例えばスライド部４を最も後退させた位置や、移動の中間位置を基準位置６にしても良く、又はその他の位置を基準位置６にしても良い。
【００７３】
また、スライド部４が最も前進した場合にスライド部４を係止する係止手段や、スライド部４が最も後退した場合にスライド部４を係止する係止手段を設けても良い。例えば、スライド部４が最も前進すると後側横材１６を係止する係止部材や、スライド部４が最も後退すると前側横材１５を係止する係止部材をベース８上に設けても良い。
【００７４】
なお、上述の椅子用据付装置１を椅子１７に備えることで、床２にスライド可能に据え付けられる据付椅子１７とすることもできる。なお、図５は、椅子用据付装置１を備える据付椅子１７とした場合をも示している。
【００７５】
さらに、上述の椅子用据付装置１を備え、ベース８が床２の一部を構成する床材となる床材ユニット４０を構成することもできる。例えば図１７に示すように、ベース８をピータイルなどの床材４１と同じ大きさ又は整数倍（例えば２枚分、４枚分等の偶数倍）の大きさにしておくことで、床材４１の代わりにベース８を敷くことができる。この場合には、床２の施工と共に椅子用据付装置１を設置することができる。なお、ベース８を板材４５に固定する場合には、ベース８に代えて板材４５を敷くようにして床材ユニット４０を構成しても良い。
【００７６】
また、例えば図１８に示すように、ベース８を床２から離して設置するＯＡ用床材４３としても良い。即ち、上述の椅子用据付装置１を備え、ベース８がＯＡ用床材４３となる床材ユニット４２を構成することもできる。この場合には、ＯＡ用床材の設置と共に椅子用据付装置１を設置することができ、しかも、コンピュータや通信機器などのＯＡ機器類のコードやケーブル類を取り回す空間４４を設けることができる。なお、ベース８を板材４５に固定する場合には、ベース８に代えて板材４５をＯＡ用床材４３とする床材ユニット４２としても良い。
【００７７】
【発明の効果】
以上説明したように、請求項１記載の椅子用据付装置では、床に固定されたガイド部と、ガイド部に案内されて移動するスライド部と、スライド部に設けられた椅子固定部を備えているので、椅子固定部に椅子を固定することで、椅子を床にスライド可能に据え付けることができる。この椅子用据付装置は床に設置されるものであり、ガイド部を長くすることが容易である。このため、スライド部の移動距離として長い距離を確保することができる。この結果、据え付けた椅子を大きく移動させることができる。
【００７８】
また、請求項２記載の椅子用据付装置では、スライド部を移動の基準位置に復帰させる復帰手段を備えているので、据え付けた椅子を着座者が離れた場合に元の位置に自動的に戻すことができる。
【００７９】
また、請求項３記載の椅子用据付装置では、復帰手段が、床に固定された軸部材と、軸部材とスライド部を連結し且つスライド部の移動に伴い軸部材を中心に揺動するステーと、軸部材と同軸上に配置されてステーを付勢する捩りばねを備え、捩りばねがステーを付勢する方向は、スライド部を基準位置に復帰させる方向であるので、スライド部の移動距離の大小にあまり影響されずほぼ一定の力でスライド部を基準位置に復帰させることができる。このため、スライド部を大きく移動させていない場合であっても、スライド部を元の位置に良好に復帰させることができる。
【００８０】
また、請求項４記載の椅子用据付装置では、ガイド部及びスライド部を収容する凹部を床に設けると共に、凹部を蓋部材によって塞ぎ、蓋部材には椅子固定部又は据え付ける椅子を貫通させる長孔を設け、長孔はスライド部の移動に伴い椅子固定部が移動する範囲に形成されているので、ガイド部及びスライド部が床から突出したり露出するのを防止することができる。このため、設置場所の美観が向上すると共に、椅子用据付装置が邪魔になるのを防止することができる。
【００８１】
また、請求項５記載の椅子用据付装置では、ガイド部がガイドレールであり、スライド部が、ガイドレールの一側半部を転動する第１のローラと他側半部を転動する第２のローラと、第１のローラと第２のローラが取り付けられた載せ台を有しており、第１のローラと第２のローラのうち少なくとも一方のローラを上下方向に傾斜して配置すると共に、載せ台に椅子固定部を設けているので、椅子用据付装置の耐荷重性を向上させることができる。
【００８２】
また、請求項６記載の椅子用据付装置では、ガイド部を床に固定されたベース上に固定しているので、椅子用据付装置をユニット化することができ、床への設置が容易になる。
【００８３】
さらに、請求項７記載の据付椅子では、請求項１から６のいずれかに記載の椅子用据付装置を備えているので、床に据え付けた椅子をスライドさせることができる。
【００８４】
また、請求項８記載の床材ユニットでは、請求項６記載の椅子用据付装置を備えており、ベースが床の一部を構成する床材であるので、椅子用据付装置をそのまま床材として利用することができる。
【図面の簡単な説明】
【図１】本発明を適用した椅子用据付装置の第１の実施形態を示し、スライド部が基準位置に移動している状態を示す平面図である。
【図２】図１の椅子用据付装置のスライド部を最も後退させた状態を示す平面図である。
【図３】図１のＩＩ−ＩＩ線に沿う椅子用据付装置の断面を示し、（ａ）はスライド部が基準位置に移動している状態を示す断面図、（ｂ）はスライド部が基準位置を後退させた状態を示す断面図である。
【図４】図１のＩＩＩ−ＩＩＩ線に沿う椅子用据付装置の断面図である。
【図５】図１の椅子用据付装置を使用して椅子を床に据え付けた様子を示す側面図である。
【図６】本発明を適用した椅子用据付装置の第２の実施形態を示し、スライド部が基準位置に移動している状態を示す平面図である。
【図７】図６の椅子用据付装置のスライド部を最も後退させた状態を示す平面図である。
【図８】図６のＶＩ−ＶＩ線に沿う椅子用据付装置の断面を示し、（ａ）はスライド部が基準位置に移動している状態を示す断面図、（ｂ）はスライド部が基準位置を後退させた状態を示す断面図である。
【図９】図６のＶＩＩ−ＶＩＩ線に沿う椅子用据付装置の断面図である。
【図１０】本発明を適用した椅子用据付装置の第３の実施形態を示し、そのガイド部とスライド部を示す断面図である。
【図１１】本発明を適用した椅子用据付装置の第４の実施形態を示し、そのガイド部とスライド部を示す断面図である。
【図１２】本発明を適用した椅子用据付装置の第５の実施形態を示し、そのガイド部とスライド部を示す断面図である。
【図１３】本発明を適用した椅子用据付装置の第６の実施形態を示し、そのガイド部とスライド部を示す断面図である。
【図１４】本発明を適用した椅子用据付装置の第７の実施形態を示し、そのガイド部とスライド部を示す断面図である。
【図１５】本発明を適用した椅子用据付装置の第８の実施形態を示し、そのガイド部とスライド部を示す断面図である。
【図１６】本発明を適用した椅子用据付装置の第９の実施形態を示す側面図である。
【図１７】本発明を適用した床材ユニットの第１の実施形態を示す側面図である。
【図１８】本発明を適用した床材ユニットの第２の実施形態を示す側面図である。
【図１９】従来の据付椅子の側面図である。
【符号の説明】
１  椅子用据付装置
２  床
３  ガイド部
４  スライド部
５  椅子固定部
６  基準位置
７  復帰手段
８  ベース
１４  載せ台
１７  据付椅子
２４  軸部材
２５  ステー
２６  捩りばね
３１  第１のローラ
３２  第２のローラ
３６  凹部
３７  蓋部材
３８  長孔
３９  スライド部の移動に伴う椅子固定部の移動の軌跡
４０，４２  床材ユニット
【図１】
2004243028.tif 000003
【図２】
2004243028.tif 000004
【図３】
2004243028.tif 000005
【図４】
2004243028.tif 000006
【図５】
2004243028.tif 000007
【図６】
2004243028.tif 000008
【図７】
2004243028.tif 000009
【図８】
2004243028.tif 000010
【図９】
2004243028.tif 000011
【図１０】
2004243028.tif 000012
【図１１】
2004243028.tif 000013
【図１２】
2004243028.tif 000014
【図１３】
2004243028.tif 000015
【図１４】
2004243028.tif 000016
【図１５】
2004243028.tif 000017
【図１６】
2004243028.tif 000018
【図１７】
2004243028.tif 000019
【図１８】
2004243028.tif 000020
【図１９】
2004243028.tif 000021